(57)【特許請求の範囲】
【請求項１】
画像形成装置の装置本体に対して挿脱可能に装着された複数枚の用紙を貯留する用紙カセットと、この用紙カセットの上部に設けられ、前記用紙カセットに収納された収納姿勢と、用紙カセットから引き出された引出姿勢との間で姿勢変更可能であり、かつ、いずれの姿勢に姿勢設定された状態であっても用紙を手差しで給紙し得るように構成された手差し給紙部とを備えてなり、
前記手差し給紙部は、
手差しされた用紙を案内するために配置された固定トレーと、
前記用紙を案内するために配置され、第１トレー、及び、前記収納姿勢及び前記引出姿勢の双方で前記用紙カセットに予め設けられた収納空間の外部に位置する第２トレーを備えた可動トレーと、
を備えており、
前記固定トレー、および前記可動トレーは、
前記用紙の幅寸法に応じて用紙搬送方向と直交する用紙幅方向に向けて同一量の正逆移動が可能な互いに連動する各一対のカーソルを有しており、
前記可動トレー側の前記一対のカーソルは、
前記第１トレー及び前記第２トレーの表面上に設けられており、かつ、少なくとも前記収納姿勢及び前記引出姿勢において、前記固定トレー側の前記一対のカーソルと連結されていることを特徴とする給紙装置。
【請求項２】
前記可動トレーは、前記画像形成装置における用紙に画像を転写する転写部の上流端に連設されており、
前記手差し給紙部の引出姿勢と収納姿勢との間の姿勢変更は、前記可動トレーが前記用紙カセットに対して出没することによって行われ、
前記可動トレーは、前記用紙カセットから突出した状態で上面が前記転写部の上流端における案内面と面一になる一方、前記用紙カセットに没入した状態で用紙を前記案内面に案内する案内部が形成されるように構成されていることを特徴とする請求項１記載の給紙装置。
【請求項３】
前記固定トレーは、前記画像形成装置における用紙に画像を転写する転写部の上流端にまで延ばされており、
前記可動トレーは、前記固定トレーの上流端に連設されており、
前記手差し給紙部の引出姿勢と収納姿勢との間の姿勢変更は、前記可動トレーが前記用紙カセットに対して出没することによって行われ、
前記可動トレーは、前記用紙カセットから突出した状態で上面が前記固定トレーと面一になる一方、前記用紙カセットに没入した状態で用紙を前記固定トレーに案内する案内部が形成されるように構成されていることを特徴とする請求項１記載の給紙装置。
【請求項４】
請求項１乃至３のいずれかに記載の給紙装置を用いたことを特徴とする画像形成装置。
【発明の詳細な説明】
【技術分野】
【０００１】
本発明は、複写機やファクシミリ装置、さらにはプリンタ等の画像形成装置に適用され、転写用の用紙を給紙するために用いられる給紙装置およびこれを用いた画像形成装置に関するものである。
【背景技術】
【０００２】
従来、特許文献１に記載されているような、画像形成装置の画像形成部に向けて転写材としての用紙を給紙するための給紙装置が知られている。この給紙装置は、画像形成装置の装置本体に挿脱可能に装着された、複数枚の定型用紙を貯留するための用紙カセットと、この用紙カセットの上部に設けられ、葉書のような小サイズの用紙や非定形の用紙を手差しで１枚ずつ給紙するときに使用される手差し給紙部とを備えて構成されている。
【０００３】
前記手差し給紙部は、用紙を載置し得る板状の給紙台と、この給紙台に設けられた、用紙の真っ直ぐな送り込みを案内する一対のカーソルとを備えている。前記給紙台は、用紙カセットに対して挿脱可能に構成され、用紙カセット内に収納された垂直姿勢と、用紙カセットから引き出された水平姿勢との間で姿勢変更可能になっている。
【０００４】
そして、用紙を手差しで給紙するに際しては、給紙台を用紙カセットから引き出して水平姿勢に姿勢設定した上で、用紙の幅寸法に合わせて一対のカーソル間の距離を調節し、これら一対のカーソルに案内させつつ用紙を手差しすることにより、当該手差しの用紙が画像形成部の上流端に設けられたレジストローラに直接届き、これによって手差しによる円滑な給紙が行われることになる。手差し給紙を行わないときは、給紙台が垂直姿勢で用紙カセット内に収納されるため、突出した給紙台が邪魔になるような不都合は生じない。
【０００５】
一方、用紙カセットに貯留された用紙束から定型用紙を自動的に給紙するに際しては、用紙カセットの給紙位置に設けられた給紙ローラが駆動回転され、この給紙ローラの駆動回転によって用紙束から１枚ずつの用紙が画像形成部へ向けて繰り出されるようになっている。
【０００６】
かかる特許文献１に記載の給紙装置によれば、手差し給紙部を用紙カセットに設けたことにより、装置本体における用紙カセットとは別個の位置にそれぞれ独立した状態で手差し給紙部を設けた場合に比較し、用紙を搬送する搬送系の構成が簡素化され、装置コストの低減化に貢献するという利点が得られる。
【特許文献１】特許第３２７０６１３号公報
【発明の開示】
【発明が解決しようとする課題】
【０００７】
しかしながら、特許文献１に記載の給紙装置は、手差し給紙を行うに際し、どのようなサイズの用紙を手差しで給紙する場合でも、必ず手差し用の給紙台を用紙カセットから一々引き出さなければならず、操作性が劣るという問題点を有している。
【０００８】
本発明は、かかる問題点を解消するためになされたものであり、手差し給紙に際して一々給紙台を用紙カセットから引き出さなくても、用紙を適正に手差し給紙することができる給紙装置およびこれを用いた画像形成装置を提供することを目的としている。
【課題を解決するための手段】
【０００９】
請求項１記載の発明は、画像形成装置の装置本体に対して挿脱可能に装着された複数枚の用紙を貯留する用紙カセットと、この用紙カセットの上部に設けられ、前記用紙カセットに収納された収納姿勢と、用紙カセットから引き出された引出姿勢との間で姿勢変更可能であり、かつ、いずれの姿勢に姿勢設定された状態であっても用紙を手差しで給紙し得るように構成された手差し給紙部とを備えてなり、前記手差し給紙部は、手差しされた用紙を案内するために配置された固定トレーと、前記用紙を案内するために配置され、第１トレー、及び、前記収納姿勢及び前記引出姿勢の双方で前記用紙カセットに予め設けられた収納空間の外部に位置する第２トレーを備えた可動トレーと、を備えており、前記固定トレー、および前記可動トレーは、前記用紙の幅寸法に応じて用紙搬送方向と直交する用紙幅方向に向けて同一量の正逆移動が可能な互いに連動する各一対のカーソルを有しており、前記可動トレー側の前記一対のカーソルは、前記第１トレー及び前記第２トレーの表面上に設けられており、かつ、少なくとも前記収納姿勢及び前記引出姿勢において、前記固定トレー側の前記一対のカーソルと連結されていることを特徴とするものである。
【００１０】
かかる構成によれば、用紙を給紙装置の手差し給紙部を介して装置本体内に手差しで給紙するに際し、手差し給紙部が用紙カセットに収納された収納姿勢および用紙カセットから引き出された引出姿勢のいずれに姿勢設定されていても、当該用紙を手差し給紙部を介して給紙することができる。
【００１１】
従って、特に葉書のような小サイズの用紙を給紙するに際しては、収納姿勢に姿勢設定されている手差し給紙部を装置本体に収納された用紙カセットから引き出して引出姿勢に姿勢変更させるような面倒な操作を行うことなく、当該用紙を収納姿勢に姿勢設定された手差し給紙部を介してそのまま給紙することが可能になる。
【００１２】
これに対し、Ａ４サイズ等の通常サイズの用紙を手差しで給紙するに際しては、収納姿勢の手差し給紙部を用紙カセットから引き出して引出姿勢に姿勢設定すればよい。こうすることによって通常サイズの用紙は、手差し給紙部に案内されることにより横ずれがない状態で円滑に手差し給紙される。
【００１３】
このように、手差し給紙部は、用紙カセットに収納された収納姿勢および用紙カセットから引き出された引出姿勢のいずれに姿勢設定された状態であっても用紙を手差しで給紙することができるため、ユーザーは、手差し給紙をしようとしている用紙のサイズや状況に応じて手差し給紙部の姿勢設定を選択することが可能になり、これによって給紙装置が汎用性に富んだ使い勝手のよいものになる。
【００１４】
また、かかる構成によれば、固定トレーおよび可動トレーに各一対で設けられたカーソルの離間寸法を用紙の幅寸法に合わせて調節することにより、手差しされる用紙は、これらのカーソルに案内されるため、横に傾かない安定した状態で円滑に給紙される。
【００１５】
そして、固定トレーおよび可動トレーにそれぞれ設けられた各一対のカーソルは、用紙搬送方向と直交する用紙幅方向に向けて連動しながら同一量正逆移動するようになっているため、いずれか１つのカーソルを移動させるだけで全てのカーソルの位置設定が行われ、カーソルの位置調節が容易になる。
【００１６】
請求項２記載の発明は、請求項１記載の発明において、前記可動トレーは、前記画像形成装置における用紙に画像を転写する転写部の上流端に連設されており、前記手差し給紙部の引出姿勢と収納姿勢との間の姿勢変更は、前記可動トレーが前記用紙カセットに対して出没することによって行われ、前記可動トレーは、前記用紙カセットから突出した状態で上面が前記転写部の上流端における案内面と面一になる一方、前記用紙カセットに没入した状態でように構成されていることを特徴とするものである。
【００１７】
かかる構成によれば、手差し給紙部が引出姿勢に姿勢設定された状態（すなわち可動トレーを用紙カセットから引き出した状態）では、転写部の上流端の案内面と可動トレーの上面とが面一になるため、手差し給紙を行うに際し、用紙は、これら可動トレーおよび転写部の上流端の案内面とに案内されて安定した状態で転写部へ向けて給紙される。
【００１８】
これに対し、手差し給紙部が収納姿勢に姿勢設定された状態（すなわち可動トレーを用紙カセット内に収納した状態）では、可動トレーの上縁部に用紙を転写部の案内面に向けて案内する案内部が形成されるため、たとえ可動トレーが用紙カセット内に収納されていても、用紙をこの可動トレーの案内部を介して手差しで給紙することができる。
【００１９】
このように、可動トレーを用紙カセットに収納した状態で当該可動トレーの上縁部に用紙を給紙するための案内部が形成されるようにしたため、手差し給紙部の構造を簡単なものとした上で、手差し給紙の態様（すなわち、可動トレーを用紙カセットに収納したままで手差し給紙を行うか、可動トレーを用紙カセットから引き出した状態で手差し給紙を行うかの態様）をユーザーが選択し得るようになる。
【００２０】
請求項３記載の発明は、請求項１記載の発明において、前記固定トレーは、前記画像形成装置における用紙に画像を転写する転写部の上流端にまで延ばされており、前記可動トレーは、前記固定トレーの上流端に連設されており、前記手差し給紙部の引出姿勢と収納姿勢との間の姿勢変更は、前記可動トレーが前記用紙カセットに対して出没することによって行われ、前記可動トレーは、前記用紙カセットから突出した状態で上面が前記固定トレーと面一になる一方、前記用紙カセットに没入した状態で用紙を前記固定トレーに案内する案内部が形成されるように構成されていることを特徴とするものである。
【００２１】
かかる構成によれば、手差し給紙部が引出姿勢に姿勢設定された状態（すなわち可動トレーを用紙カセットから引き出した状態）では、転写部の上流端にまで延ばされた固定トレーの上面と、固定トレーの上流端に連設された可動トレーの上面とが面一になるため、手差し給紙を行うに際し、用紙は、これら可動トレーおよび固定トレーに案内されて安定した状態で給紙される。
【００２２】
これに対し、手差し給紙部が収納姿勢に姿勢設定された状態（すなわち可動トレーを用紙カセット内に収納した状態）では、可動トレーの上縁部に用紙を固定トレーに向けて案内する案内部が形成されるため、たとえ可動トレーが用紙カセット内に収納されていても、用紙をこの可動トレーの案内部を介して手差しで給紙することができる。
【００２３】
このように、可動トレーを用紙カセットに収納した状態で当該可動トレーの上縁部に用紙を給紙するための案内部が形成されるようにしたため、手差し給紙部の構造を簡単なものとした上で、手差し給紙の態様（すなわち、可動トレーを用紙カセットに収納したままで手差し給紙を行うか、可動トレーを用紙カセットから引き出した状態で手差し給紙を行うかの態様）をユーザーが選択し得るようになる。
【００２４】
請求項４記載の発明は、請求項１乃至３のいずれかに記載の給紙装置を用いたことを特徴とする画像形成装置である。
【００２５】
かかる構成によれば、画像形成装置は、請求項１乃至３のいずれかに記載の給紙装置が有する作用を備えたものになる。
【発明の効果】
【００２６】
請求項１記載の発明によれば、手差し給紙部は、用紙カセットに収納された収納姿勢および用紙カセットから引き出された引出姿勢のいずれに姿勢設定された状態であっても用紙を手差しで給紙することができるため、ユーザーは、手差し給紙をしようとしている用紙のサイズや状況に応じて手差し給紙部の姿勢設定を選択することが可能になり、これによって給紙装置を汎用性に富んだ使い勝手のよいものにすることができる。
【００２７】
また、請求項１記載の発明によれば、固定トレーおよび可動トレーに各一対で設けられたカーソルの離間寸法を用紙の幅寸法に合わせて調節することにより、手差しされる用紙は、これらのカーソルに案内されるため、横に傾かない安定した状態で円滑に給紙される。
【００２８】
そして、固定トレーおよび可動トレーにそれぞれ設けられた各一対のカーソルは、用紙搬送方向と直交する用紙幅方向に向けて連動しながら同一量正逆移動するようになっているため、いずれか１つのカーソルを移動させるだけで全てのカーソルの位置設定が行われ、カーソルの位置調節が容易になる。
【００２９】
請求項２記載の発明によれば、可動トレーを用紙カセットに収納した状態で当該可動トレーの上縁部に用紙を給紙するための案内部が形成されるようにしたため、手差し給紙部の構造を簡単なものとした上で、ユーザーは、手差し給紙の態様を容易に選択することができる。
【００３０】
請求項３記載の発明によれば、可動トレーと転写部との間に介設される固定トレーの存在により、可動トレーからの転写部への手差し給紙を円滑に行うことができる。また、可動トレーを用紙カセットに収納した状態で当該可動トレーの上縁部に用紙を給紙するための案内部が形成されるようにしたため、手差し給紙部の構造を簡単なものとした上で、ユーザーは、手差し給紙の態様を容易に選択することができる。
【００３１】
請求項４記載の発明によれば、画像形成装置を、請求項１乃至３のいずれかに記載の給紙装置が有する効果を備えたものにすることができる。
【発明を実施するための最良の形態】
【００３２】
図１は、本発明に係る給紙装置が適用されたプリンタの一実施形態を示す斜視図であり、（イ）は、手差し給紙部の可動トレーが収納姿勢に姿勢設定された状態、（ロ）は、手差し給紙部の可動トレーが引出姿勢に姿勢設定された状態をそれぞれ示している。なお、図１において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００３３】
図１に示すように、プリンタ（画像形成装置）１０は、例えばコンピュータ等の外部機器から入力された画像情報に基づき画像形成処理を行って用紙Ｐに転写処理を施すものであり、側面視で上に凹の扇形状に形状設定された箱形を呈する装置本体１１内に画像形成用の各種の機器が装着されることによって構成されている。
【００３４】
前記装置本体１１は、扇形状を呈した左右幅方向一対の側板１１１と、これら一対の側板１１１の上縁部間に架設された側面視で円弧状を呈する天板１１２と、この天板１１２の前縁部から上下方向の略中間位置まで垂下された前面板１１３と、天板１１２の後縁部から上下方向の略中間位置まで垂下された後面板１１４（図２）と、上下方向の略中間位置で前記一対の側板１１１間に架設された仕切板１１５（図２）とを備えている。装置本体１１内における仕切板１１５の上部に後述する画像形成用の各種の機器が装着されている一方、仕切板１１５の下部に、後に詳述する用紙カセット３１が挿脱可能に装着されている。
【００３５】
前記前面板１１３には、その下縁部の中央位置が所定の上下寸法で左右方向に向けて切り欠かれることによって形成した給紙口１１６が設けられ、手差しで給紙する場合、用紙Ｐは、この給紙口１１６を介して装置本体１１内に導入されるようになっている。一方、前記天板１１２には、その中央部が後方に向かって先下がり状態で凹設されることによって形成した排紙トレー１１７が設けられ、装置本体１１内で所定の転写処理が施された用紙Ｐは、排紙トレー１１７の後方壁に開口された排紙口１１７ａを介して当該排紙トレー１１７上に排出されるようになっている。
【００３６】
また、各側板１１１の後方上部には、上下方向に延びる複数本の格子が前後方向に向かって並設されてなるルーバー１１８がそれぞれ設けられ、一方のルーバー１１８から取り入れた外気を他方のルーバー１１８から排出することによって装置本体１１に冷却処理が施されるようになっている。
【００３７】
図２および図３は、かかるプリンタ１０の内部構造の概要を説明するための側面断面視の説明図であり、図２は、用紙カセット３１が収納位置Ｔ１に収納された状態、図３は、用紙カセット３１が引出位置Ｔ２に引き出された状態をそれぞれ示している。図２および図３におけるＹによる方向表示（前後方向）は、図１の場合と同様（−Ｙ：前方、＋Ｙ：後方）である。
【００３８】
これらの図に示すように、プリンタ１０は、印刷処理に供する用紙Ｐを貯留するとともに、貯留された用紙Ｐの束（用紙束Ｐ１）から１枚ずつの用紙Ｐを繰り出させたり、手差しで給紙したりすることができるように構成された給紙装置３０と、この給紙装置３０から供給された用紙Ｐに対して画像の転写処理を施す画像転写部２０と、この画像転写部２０で転写処理の施された用紙Ｐに対して定着処理を施す定着部２７とが装置本体１１における仕切板１１５より上方位置に内装されることによって構成されている。定着部２７で定着処理の施された用紙Ｐは、前記排紙トレー１１７へ排紙されるようになっている。
【００３９】
前記給紙装置３０は、装置本体１１に対して挿脱可能に装着された用紙束Ｐ１を貯留するための用紙カセット３１と、この用紙カセット３１の上部に設けられた手差し給紙部４０とを備えて構成されている。装置本体１１には、用紙カセット３１の上流側（図２の右方）に対応した位置に用紙束Ｐ１から１枚ずつの用紙Ｐを繰り出させる大径の給紙ローラ３１１が設けられているとともに、この給紙ローラの直上位置に小径の搬送コロ３１２が設けられている。一方、用紙カセット３１には、搬送コロ３１２と対向した用紙カセット３１側の給紙コロ３１２ａが設けられ、これら一対の搬送コロ３１２，３１２ａによって給紙ローラ対が形成されている。そして、給紙ローラ３１１の駆動によって用紙カセット３１から繰り出された用紙Ｐは、搬送コロ３１２，３１２ａを介し、給紙搬送路（案内面）３１３およびこの下流端に設けられたレジストローラ対３１４を介して画像転写部２０に給紙されるようになっている。なお、用紙カセット３１および手差し給紙部４０については後に詳述する。
【００４０】
前記画像転写部２０は、コンピュータ等から電送された画像情報に基づき用紙Ｐに転写処理を施すものであり、左右方向（図２の紙面と直交する方向）に延びるドラム心回りに回転可能に設けられた感光体ドラム２１の周面に沿うように、当該感光体ドラム２１の直上位置から時計方向に向けて帯電器２２、露光装置２３、現像装置２４、転写ローラ２５およびクリーニング装置２６が配設されることによって形成されている。
【００４１】
前記感光体ドラム２１は、周面に静電潜像およびこの静電潜像に沿ったトナー像を形成させるためのものであり、周面にアモルファスシリコン層が積層され、これによってこれらの像を形成させるのに適したものになっている。
【００４２】
前記帯電器２２は、ドラム心回りに時計方向に回転している感光体ドラム２１の周面に一様な電荷を形成させるものであり、本実施形態においては、ワイヤからのコロナ放電により感光体ドラム２１の周面に電荷を付与するコロナ放電方式のものが採用されているが、これに代えて周面が感光体ドラム２１の周面と当接しながら従動回転しつつ当該感光体ドラム２１の周面へ電荷を付与する帯電ローラ方式を採用してもよい。
【００４３】
前記露光装置２３は、コンピュータ等の外部の機器から電送されてきた画像データに基づき強弱の付与されたレーザー光を回転している感光体ドラム２１の周面に照射し、これによる感光体ドラム２１周面のレーザー光が照射された部分の電荷の消去によって当該感光体ドラム２１の周面に静電潜像を形成させるものである。
【００４４】
前記現像装置２４は、感光体ドラム２１の周面に現像剤の内のトナーを供給することによって周面の静電潜像が形成された部分にトナーを付着させ、これによって感光体ドラム２１の周面にトナー像を形成させるものである。なお、本発明においては、現像剤としてトナーとキャリアとからなる、いわゆる２成分系のものが採用されている。トナーは、着色剤、電荷制御剤およびワックス等の添加剤をバインダー樹脂中に分散させた粒径が６〜１２μｍの微粉体である。キャリアは、磁鉄鉱（Ｆｅ３Ｏ４）等の粒径が６０〜２００μｍの磁性粒子であり、トナーを帯電させるために使用される。そして、トナーは、トナーカートリッジ２４１から現像装置２４に適宜補給される消耗品であるのに対し、キャリアは、予め所定量が現像装置２４内に装填されており、消耗することなく循環使用されるのが一般的であるが、本発明においては、トナーカートリッジ２４１にトナーおよびキャリア（すなわち現像剤）が装填されており、トナーとキャリアの双方が同時に現像装置２４に補給されるようにしている。
【００４５】
前記転写ローラ２５は、感光体ドラム２１の直下位置に送り込まれた用紙Ｐに対して当該感光体ドラム２１の周面に形成されているプラスに帯電したトナー像を用紙Ｐに転写させるものであり、トナー像の電荷と逆極性であるマイナスの電荷を用紙Ｐに付与するようになっている。
【００４６】
従って、感光体ドラム２１の直下位置に送り込まれた用紙Ｐは、転写ローラ２５と感光体ドラム２１とによって押圧挟持されつつ、プラスに帯電した感光体ドラム２１周面のトナー像がマイナスに帯電した用紙Ｐの表面に向けて引き剥がされ、これによって用紙Ｐに対し転写処理が施されることになる。
【００４７】
前記クリーニング装置２６は、用紙Ｐへの転写処理後の感光体ドラム２１の周面に残留しているトナーを取り除いて清浄化するためのものである。このクリーニング装置２６によって清浄化された感光体ドラム２１の周面は、次の画像形成処理のために再び帯電器２２へ向かうことになる。
【００４８】
前記定着部２７は、画像転写部２０において転写処理の施された用紙Ｐのトナー像に加熱による定着処理を施すものであり、内部にハロゲンランプ等の通電発熱体が装着されたヒートローラ２７１と、このヒートローラ２７１の下部で周面が対向配置された加圧ローラ２７２とを備えて構成されている。そして、転写処理後の用紙Ｐは、ローラ心回りに時計方向に向けて駆動回転しているヒートローラ２７１と、ローラ心回りに反時計方向に向けて従動回転している加圧ローラ２７２との間のニップ部を通過することによって、ヒートローラ２７１からの熱を得て定着処理が施されるようになっている。定着処理の施された用紙Ｐは、排紙搬送路２７３を通って排紙トレー１１７へ排出されることになる。
【００４９】
前記給紙装置３０の構成要素である手差し給紙部４０は、後縁部が前記画像転写部２０の上流端であって、給紙コロ３１２ａの直上位置にまで延ばされた固定トレー５０と、この固定トレー５０の上流端に連設された可動トレー６０とを備えて構成されている。そして、本発明においては、前記可動トレー６０は、用紙カセット３１に収納された収納姿勢Ｓ１（図５）と、用紙カセット３１から引き出された引出姿勢Ｓ２（図６）との間で姿勢変更可能であり、かつ、いずれの姿勢に姿勢設定された状態であっても用紙Ｐを手差しで給紙し得るようになっている。
【００５０】
以下、かかる給紙装置３０について、図４〜図６を基に詳細に説明する。図４は、給紙装置３０の分解斜視図であり、図５および図６はその組み立て斜視図である。そして、図５は、手差し給紙部４０の可動トレー６０が収納姿勢Ｓ１に姿勢設定された状態を示し、図６は、手差し給紙部４０の可動トレー６０が引出姿勢Ｓ２に姿勢設定された状態を示している。因みに、図４〜図６におけるＸおよびＹによる方向表示は、図１の場合と同様（（Ｘは幅方向（−Ｘ：左方、＋Ｘ：右方）、Ｙは前後方向（−Ｙ：前方、＋Ｙ：後方））である。
【００５１】
まず図４を基に、手差し給紙部４０についての説明に先立って当該手差し給紙部４０が装着される用紙カセット３１について説明する。用紙カセット３１は、前面が外方（前方）に向かって円弧状に膨設された円弧状前板３２と、この円弧状前板３２の裏面（後面）側の下縁部から後方に向かって延設された底板３３と、この底板３３の左右両側部から上方に向けて突設された前後方向に延びる一対の側板３４とを備えている。
【００５２】
前記各側板の適所には、互いに反対方向に向けて突設された被ガイド突片３４１が設けられている一方、装置本体１１の一対の側板１１１（図３）には、前記被ガイド突片３４１に対応した前後方向に延びるガイド溝１１１ａがそれぞれ凹設され、用紙カセット３１は、各被ガイド突片３４１がこれらのガイド溝１１１ａに案内されつつ正逆移動することによって装置本体１１内に収納された収納位置Ｔ１（図２）と、装置本体１１から外部に突出した引出位置Ｔ２（図３）との間で位置変更し得るようになっている。
【００５３】
前記底板３３には、その上面側における左右方向の中央位置に前後方向に延びた前後動案内凹部３３１が設けられているとともに、この前後動案内凹部３３１に案内されつつ前後動可能な前後位置規制部材３５が設けられている。この前後位置規制部材３５は、底板３３上に載置された用紙束Ｐ１（図１）の後端位置を規制するためのものであり、前後動案内凹部３３１内をスライドする水平板３５１と、この水平板３５１の後端部から立設された垂直板３５２とからなっている。そして、この垂直板３５２を用紙サイズに合わせて移動させ用紙束Ｐ１の後端へ当止させ得るようになっている。
【００５４】
また、底板３３には、その上面の前方位置に左右方向一対の左右動案内凹部３３２が設けられているとともに、これらの左右動案内凹部３３２に案内されつつ左右方向に移動可能な一対の左右位置規制部材３６が設けられている。これらの左右位置規制部材３６は、底板３３上に載置された用紙束Ｐ１（図１）の左右位置を規制するためのものであり、左右動案内凹部３３２内をスライドする水平板３６１と、各水平板３６１における左右方向の互いに反対側の縁部から立設された垂直板３６２とを有している。そして、これらの左右位置規制部材３６を用紙サイズに合わせて同一量だけ移動させることによって一対の垂直板３６２で当該用紙束Ｐ１を挟持し得るようになっている。
【００５５】
従って、用紙カセット３１の底板３３上に載置された用紙束Ｐ１は、前後位置規制部材３５および一対の左右位置規制部材３６によって挟み込まれることにより、用紙カセット３１内で位置決めされることになる。
【００５６】
また、底板３３の前半分の位置には、前記左右位置規制部材３６と干渉しない状態で載置された用紙束Ｐ１の前半分を上方へ向けて付勢する付勢板３７が設けられている。この付勢板３７は、後端側が左右方向に延びる支軸３７１（図２）回りに回動可能に軸支されているとともに、コイルスプリング３７２（図２）によって上方に向かって付勢され、これによって用紙カセット３１に装填された用紙束Ｐ１の最上位の用紙Ｐは、用紙カセット３１が装置本体１１に収納された状態で給紙ローラ３１１に当接するようになっている。
【００５７】
従って、用紙束Ｐ１の最上位の用紙Ｐは、給紙ローラ３１１が駆動回転することにより、給紙ローラ３１１、搬送コロ３１２，３１２ａおよび給紙搬送路３１３を介し画像転写部２０へ向けて順次繰り出されることになる。
【００５８】
そして、前記固定トレー５０と可動トレー６０とからなる前記手差し給紙部４０は、このような用紙カセット３１の前方位置に形成されている。手差し給紙部４０を用紙カセット３１に装着するために、円弧状前板３２の上部には、左右方向の中央部が凹没されることによって形成された可動トレー６０を受ける凹溝３２１が形成されているとともに、円弧状前板３２の裏面（後面）には、左右方向一対の側壁３２２が設けられている。これら一対の側壁３２２と、円弧状前板３２と、給紙ローラ３１１および側壁３２２とに囲繞された部分に固定トレー５０を装着する装着空間Ｖが形成されている。
【００５９】
前記固定トレー５０は、可動トレー６０を介して手差しされた用紙Ｐを給紙搬送路３１３（図２）へ案内するためのものであり、左右方向に長尺のトレー本体５１と、このトレー本体５１に左右方向への移動が可能に設けられた一対の固定トレー側カーソル５２とを備えて構成されている。前記トレー本体５１は、左右寸法が前記円弧状前板３２の凹溝３２１の左右寸法と略同一に設定されているとともに、前後幅寸法が前記装着空間Ｖの前後幅寸法と略同一に設定され、これによって用紙カセット３１が装置本体１１に収納された状態で装着空間Ｖの後方側の給紙ローラ３１１および搬送コロ３１２を覆い得るようになっている。
【００６０】
かかるトレー本体５１には、左右方向一対のガイド長孔５１１が設けられ、前記一対の固定トレー側カーソル５２は、それぞれ対応したガイド長孔５１１にガイドされることによって左右方向に移動し得るようになっている。
【００６１】
前記各固定トレー側カーソル５２は、前端がトレー本体５１から後方に向けて若干突設されているとともに、その後面から上面にかけて外方に向かって突設された前後方向に延びる連結フィン５２１が設けられている。この連結フィン５２１は、固定トレー側カーソル５２を後述する可動トレー側カーソル６３に連結するためのものである。
【００６２】
このような固定トレー５０は、トレー支持部材５３に支持された状態で装着空間Ｖの上部に装着される。前記トレー支持部材５３は、平面形状がトレー本体５１のそれと同一に設定されたトレー支持板５３１と、このトレー支持板５３１の前後方向の略中央部から下方に向けて突設された左右方向に延びる後方板５３２と、この後方板５３２の下縁部から上方に向けて延設された前方板５３３とからなっている。前記トレー本体５１は、トレー支持板５３１に密着状態で固定されている。
【００６３】
前記後方板５３２および前方板５３３は、給紙ローラ３１１や搬送コロ３１２等との位置関係が考慮された上で上方から前記装着空間Ｖに挿入され得るように形状設定されている。かかる後方板５３２および前方板５３３が装着空間Ｖに挿入されて固定されることにより、固定トレー５０が、図５および図６に示すように、用紙カセット３１の所定の位置に装着されるようになっている。そして、このような後方板５３２と前方板５３３との間には、収納姿勢Ｓ１に姿勢設定された可動トレー６０を収納するための収納空間Ｖ１が形成されている。
【００６４】
前記可動トレー６０は、引出姿勢Ｓ２（図６）に姿勢設定された状態で手差しの用紙Ｐを案内する第１トレー６１と、収納姿勢Ｓ１（図５）に姿勢設定された状態で手差しの用紙Ｐを案内する第２トレー（案内部）６２と、これら第１および第２トレー６１，６２に亘って設けられた左右方向一対の可動トレー側カーソル６３とを備えて構成されている。第２トレー６２は、第１トレー６１の前縁部から図４における下方に向かって折り曲げられた状態で第１トレー６１に接続されている。
【００６５】
前記第１トレー６１は、左右方向の寸法が前記用紙カセット３１の円弧状前板３２に設けられた凹溝３２１の左右寸法より僅かに短く寸法設定されているとともに、前後幅寸法が凹溝３２１の前後幅寸法より相当長め（本実施形態では略３倍）に設定され、これによって可動トレー６０が引出姿勢Ｓ２に姿勢設定された状態では、図１の（ロ）および図６に示すように、用紙カセット３１の円弧状前板３２から前方に向けて相当量が突出した状態になるようになされている。
【００６６】
これに対し、前記第２トレー６２は、左右寸法が第１トレー６１のそれと同一に設定されている一方、前後幅寸法が全長に亘って凹溝３２１のそれと同一に設定され（すなわち、先端縁部が凹溝３２１の平面視の形状と同一の円弧状に形成され）、これによって可動トレー６０が収納姿勢Ｓ１に姿勢設定されることにより第１トレー６１が収納空間Ｖ１内に収納された状態で、図１の（イ）および図５に示すように、第２トレー６２が凹溝３２１の上部を覆うのみで用紙カセット３１の円弧状前板３２から前方に向けて突出しないようになされている。因みに、可動トレー６０は、第１トレー６１および第２トレー６２の両端部にＴ字形状を呈した補強部材６４がそれぞれ固定されることによって構造的に丈夫になっている。
【００６７】
そして、可動トレー６０がいずれの姿勢に姿勢設定された状態であっても、用紙Ｐを給紙口１１６（図１、図２参照）を介してプリンタ１０内に手差しで給紙することができるようになっている。
【００６８】
前記可動トレー側カーソル６３は、第１および第２トレー６１，６２の表面に対応してＬ字状に形成され、第１トレー６１に対応した第１カーソル６３１と、第２トレー６２に対応した第２カーソル６３２とからなっている。かかる可動トレー側カーソル６３は、第１カーソル６３１が第１トレー６１に設けられた左右方向に延びるガイド長孔６１１に案内されて正逆移動し得るようになっており、これによって一対の可動トレー側カーソル６３間の内寸法を手差しする用紙Ｐの用紙幅に対応させ得るようになっている。
【００６９】
また、前記各補強部材６４の図４における前端位置には、互いに反対方向に突出した被ガイド軸６４１が突設されている一方、前記円弧状前板３２の裏側に設けられた一対の側壁３２２には、互いに対向し、かつ、上下方向に延びた案内溝３２３が設けられ、各被ガイド軸６４１が対応した案内溝３２３に嵌め込まれることによって、可動トレー６０は、各被ガイド軸６４１が各案内溝３２３に案内されつつ第１トレー６１が収納空間Ｖ１に収納された収納姿勢Ｓ１（図５）と、第１トレー６１が収納空間Ｖ１から引き出されて固定トレー５０のトレー本体５１と面一になった引出姿勢Ｓ２（図６）との間で姿勢変更し得るようになっている。
【００７０】
前記可動トレー側カーソル６３の第１カーソル６３１の上面には、前記固定トレー５０の固定トレー側カーソル５２に設けられた連結フィン５２１が嵌め込まれる前後方向に延びた連結溝６３３が設けられ、第１トレー６１の被ガイド軸６４１が用紙カセット３１の側壁３２２の案内溝３２３に嵌め込まれた状態で、連結溝６３３が連結フィン５２１に外嵌されるとともに、この外嵌状態は、可動トレー６０の姿勢変更に拘らず維持されるようになっている。
【００７１】
従って、図５に示すように、可動トレー６０が収納姿勢Ｓ１に姿勢設定された状態および図６に示すように、可動トレー６０が引出姿勢Ｓ２に姿勢設定された状態の双方において、可動トレー側カーソル６３と固定トレー側カーソル５２とは、連結溝６３３および連結フィン５２１を介して互いに連結されているため、可動トレー６０がいずれの姿勢に設定されていても、可動トレー側カーソル６３を移動させることにより、この移動に連動して固定トレー側カーソル５２も移動することになる。
【００７２】
図７は、一対の可動トレー側カーソル６３の連動構造の一実施形態を説明するための可動トレー６０の裏面視の斜視図である。図７に示すように、可動トレー６０における第１トレー６１の裏面側には、左右一対のガイド長孔６１１に対応し、かつ、各第１カーソル６３１（図４）に固定された左右一対のラック部材６５が、各ラック歯６５１を互い違いに対向させた状態で設けられているとともに第１トレー６１の中央部には、各ラック歯６５１に噛合するピニオン部材６６が設けられている。
【００７３】
また、第１トレー６１の裏面側には、各ラック部材６５の移動を案内するための案内凹溝６１２がそれぞれ互い違いに設けられ、各ラック部材６５は、対応した案内凹溝６１２に案内されることによって左右方向に向かう正逆移動がスムーズに行われるようになっている。
【００７４】
前記ピニオン部材６６は、互いに対向した一対のラック部材６５の各ラック歯６５１と噛合するピニオン本体６６１と、このピニオン本体６６１に同心で一体的に形成されたフランジ６６２とを備えている。フランジ６６２は、径寸法がピニオン本体６６１の径寸法より若干大きめに設定されている。かかるピニオン部材６６は、第１トレー６１の中心位置に中心軸６６３回りに回転自在に軸支されている。そして、前記フランジ６６２の存在によりピニオン本体６６１に噛合した各ラック部材６５は、外れ止めされるようになっている。
【００７５】
かかる可動トレー側カーソル６３の連動構造によれば、一方の可動トレー側カーソル６３を移動させることにより、この移動は、一方のラック部材６５のラック歯６５１を介してピニオン本体６６１に伝達されてピニオン部材６６が中心軸６６３回りに回転し、この回転は他方のラック部材６５のラック歯６５１を介して当該ラック部材６５に伝達され、これによって他方のラック部材６５が一方のラック部材６５と反対方向に向けて同一量だけ移動するため、結局、一方の可動トレー側カーソル６３のみを操作することによって他方の可動トレー側カーソル６３も反対方向に向けて同一量だけ連動することになる。
【００７６】
以下、図８を基に本発明にかかる手差し給紙部４０の作用について説明する。図８は、手差し給紙部４０の作用を説明するための正面断面視の説明図であり、（イ）は、可動トレー６０が収納姿勢Ｓ１に姿勢設定された状態、（ロ）は、可動トレー６０が引出姿勢Ｓ２に姿勢設定された状態をそれぞれ示している。
【００７７】
まず、可動トレー６０が収納姿勢Ｓ１に姿勢設定された状態では、可動トレー６０の第１トレー６１が用紙カセット３１の収納空間Ｖ１に収納され、これによって第２トレー６２の図８における右縁面が用紙カセット３１の円弧状前板３２の右面と面一となって出っ張りのない状態になっているとともに、第２トレー６２の上面が固定トレー５０のトレー本体５１の上面と面一になっている。また、可動トレー６０の第１カーソル６３１に凹設された連結溝６３３が固定トレー５０の固定トレー側カーソル５２から突設された連結フィン５２１に外嵌されていることにより、第１カーソル６３１と一体の第２カーソル６３２と固定トレー側カーソル５２とは前後方向（図８の紙面に直交する方向）で同一位置に位置設定されている。
【００７８】
従って、可動トレー６０が収納姿勢Ｓ１に姿勢設定された状態においては、用紙Ｐを給紙口１１６から可動トレー６０の第２トレー６２および固定トレー５０を介して給紙することができる。そして、この状態では、第２カーソル６３２の長さ寸法が比較的短いため、葉書などの小サイズの用紙Ｐを給紙するのに適している。
【００７９】
ついで、可動トレー６０が、図８の（イ）に示す収納姿勢Ｓ１に姿勢設定された状態において、用紙カセット３１を装置本体１１から抜き出した上で、可動トレー６０を上方に引き上げる操作を行うと、当該可動トレー６０は、被ガイド軸６４１が案内溝３２３に案内されることにより、安定した状態で収納空間Ｖ１から引き抜かれる。
【００８０】
そして、被ガイド軸６４１が案内溝３２３の上縁部に当止した状態で可動トレー６０を被ガイド軸６４１回りに時計方向に回動させることにより、当該可動トレー６０は、図８の（ロ）に示すように、引出姿勢Ｓ２に姿勢変更される。この状態で一旦装置本体１１から引き出された用紙カセット３１は、装置本体１１内に押し込まれ、これによって可動トレー６０を介した用紙Ｐの手差し給紙が可能になる。
【００８１】
因みに、この姿勢変更において、第１カーソル６３１の連結溝６３３は、固定トレー側カーソル５２の連結フィン５２１に対する外嵌状態が解除されることがないため、可動トレー側カーソル６３の固定トレー側カーソル５２に対する対向関係が崩れるような不都合は生じない。
【００８２】
そして、可動トレー６０が引出姿勢Ｓ２に姿勢変更された状態では、可動トレー６０における第１トレー６１の右側および第２トレー６２が装置本体１１から右方に向かって突出した状態になっているとともに、第１トレー６１の上面が固定トレー側カーソル５２の上面と面一状態になっているため、用紙Ｐを第１トレー６１の上面および固定トレー側カーソル５２の上面を介して手差しで給紙することができる。
【００８３】
このように、可動トレー６０が引出姿勢Ｓ２に姿勢設定された状態においては、可動トレー６０が装置本体１１から相当量突出した状態になるため、Ａ４サイズの用紙Ｐなどの普通紙の給紙に適している。
【００８４】
以上詳述したように、本実施形態に係る給紙装置３０は、プリンタ１０の装置本体１１に対して挿脱可能に装着された複数枚の用紙Ｐを貯留する用紙カセット３１と、この用紙カセット３１の上部に設けられた手差し給紙部４０とを備えてなるものであり、手差し給紙部４０は、用紙カセット３１に収納された収納姿勢Ｓ１と、用紙カセット３１から引き出された引出姿勢Ｓ２との間で姿勢変更可能であり、かつ、いずれの姿勢に姿勢設定された状態であっても用紙Ｐを手差しで給紙し得るように構成されている。
【００８５】
かかる構成によれば、用紙Ｐを用紙Ｐを給紙装置の手差し給紙部４０を介して装置本体１１内に手差しで給紙するに際し、手差し給紙部４０が用紙カセット３１に収納された収納姿勢Ｓ１および用紙カセット３１から引き出された引出姿勢Ｓ２のいずれに姿勢設定されていても、当該用紙Ｐを手差し給紙部４０を介して給紙することができる。
【００８６】
従って、特に葉書のような小サイズの用紙Ｐを給紙するに際しては、収納姿勢Ｓ１に姿勢設定されている手差し給紙部４０を装置本体１１に収納された用紙カセット３１から引き出して引出姿勢Ｓ２に姿勢変更させるような面倒な操作を行うことなく、当該用紙Ｐを収納姿勢Ｓ１に姿勢設定された手差し給紙部４０を介してそのまま給紙することが可能になる。
【００８７】
これに対し、Ａ４サイズ等の通常サイズの用紙Ｐを手差しで給紙するに際しては、収納姿勢Ｓ１の手差し給紙部４０を用紙カセット３１から引き出して引出姿勢Ｓ２に姿勢設定することにより、通常サイズの用紙Ｐを手差し給紙部４０に案内されることにより横ずれがない状態で円滑に手差し給紙することができる。
【００８８】
このように、手差し給紙部４０は、用紙カセット３１に収納された収納姿勢Ｓ１および用紙カセット３１から引き出された引出姿勢Ｓ２のいずれに姿勢設定された状態であっても用紙Ｐを手差しで給紙することができるため、ユーザーは、手差し給紙をしようとしている用紙Ｐのサイズや状況に応じて手差し給紙部４０の姿勢設定を選択することが可能になり、これによって給紙装置を汎用性に富んだ使い勝手のよいものにすることができる。
【００８９】
また、手差し給紙部４０は、プリンタ１０における用紙Ｐに画像を転写する画像転写部２０の上流端にまで延ばされた固定トレー５０と、この固定トレー５０の上流端に連設された可動トレー６０とを備えて構成され、手差し給紙部４０の引出姿勢Ｓ２と収納姿勢Ｓ１との間の姿勢変更は、可動トレー６０が用紙カセット３１に対して出没することによって行われ、可動トレー６０は、用紙カセット３１から突出した状態で上面が固定トレー５０と面一になる一方、用紙カセット３１に没入した状態で上縁部に用紙Ｐを固定トレー５０に案内する案内部としての第２トレー６２が形成される。
【００９０】
従って、手差し給紙部４０が引出姿勢Ｓ２に姿勢設定された状態（すなわち可動トレー６０を用紙カセット３１から引き出した状態）では、画像転写部２０の上流端にまで延ばされた固定トレー５０の上面と、固定トレー５０の上流端に連設された可動トレー６０の第１トレー６１の上面とが面一になるため、手差し給紙を行うに際し、用紙Ｐをこれら可動トレー６０および固定トレー５０に案内させることで安定した状態で給紙することができる。
【００９１】
これに対し、手差し給紙部４０が収納姿勢Ｓ１に姿勢設定された状態（すなわち可動トレー６０を用紙カセット３１内に収納した状態）では、第１トレー６１の上縁部に用紙Ｐを固定トレー５０に向けて案内する第２トレー６２が形成されるため、たとえ第１トレー６１が用紙カセット３１内に収納されていても、用紙Ｐを第２トレー６２を介して手差しで給紙することができる。
【００９２】
このように、可動トレー６０を用紙カセット３１に収納した状態で当該可動トレー６０の第１トレー６１の上縁部に用紙Ｐを給紙するための第２トレー６２が位置するようにしたため、手差し給紙部４０の構造を簡単なものとした上で、ユーザーは、手差し給紙の態様を容易に選択することができる。
【００９３】
また、固定トレー５０および可動トレー６０には、用紙Ｐの幅寸法に応じて用紙搬送方向と直交する用紙幅方向に向けて同一量の正逆移動が可能な互いに連動する各一対のカーソル（固定トレー５０については固定トレー側カーソル５２，可動トレー６０については可動トレー側カーソル６３）が設けられているため、固定トレー５０および可動トレー６０に各一対で設けられた各カーソルの離間寸法を用紙Ｐの幅寸法に合わせて調節することにより、手差しされる用紙Ｐは、これらのカーソルに案内されるため、横に傾かない安定した状態で当該用紙Ｐを円滑に給紙することができる。
【００９４】
そして、固定トレー５０および可動トレー６０にそれぞれ設けられた各一対のカーソルは、用紙搬送方向と直交する用紙幅方向に向けて連動しながら同一量正逆移動するようになっているため、いずれか１つのカーソルを移動させるだけで全てのカーソルの位置設定を容易に行うことができ、カーソルの位置調節に対する作業性を良好なものにすることができる。
【００９５】
本発明は上記の実施形態に限定されるものではなく、以下の内容をも包含するものである。
【００９６】
（１）上記の実施形態においては、画像形成装置としてプリンタ１０が採用されているが、本発明は、画像形成装置がプリンタ１０であることに限定されるものではなく、原稿画像を用紙Ｐに複写する複写機や、電送されてきた画像情報に基づいて印刷処理を施すファクシミリ装置であってもよい。
【００９７】
（２）上記の実施形態においては、用紙カセット３１は１段のみが装置本体１１に装着されているが、本発明は、用紙カセット３１は１段であることに限定されるものではなく、複数段の用紙カセット３１を挿脱自在に装置本体１１に設けるようにしてもよい。この場合、手差し給紙部４０は、最上段の用紙カセット３１に設けられることになる。
【００９８】
（３）上記の実施形態において、固定トレー５０のトレー本体５１に固定トレー側カーソル５２を設けない代わりに、可動トレー６０が引出姿勢Ｓ２に姿勢設定され、かつ、一対の第１カーソル６３１間の距離が所定の最小離間距離（例えば、葉書サイズの用紙Ｐの幅寸法）に位置設定された状態で固定トレー５０に向けて当該第１カーソル６３１を移動し得るように構成してもよい。この移動構造については、第１カーソル６３１を伸縮自在に形成してもよいし、第２カーソル６３２から外れて移動するようにしてもよい。
【００９９】
第１カーソル６３１をこのように構成すれば、小サイズの用紙Ｐ（例えば葉書サイズの用紙Ｐ）を手差し給紙するに際し、第１カーソル６３１間の距離が最小離間距離に位置設定された状態で当該第１カーソル６３１を固定トレー５０に向けて移動させることにより葉書サイズの用紙Ｐの下流側の振れが抑えられ、これによって手差し給紙を安定させることができる。
【０１００】
このように、可動トレー６０の一対の第１カーソル６３１を最小離間距離に設定された状態で画像転写部２０へ向けて移動可能に構成することにより、特に固定トレー５０に固定トレー側カーソル５２を設けなくても、小サイズの用紙Ｐを円滑に手差し給紙することが可能になり、一旦収納姿勢Ｓ１に姿勢設定された可動トレー６０を一々収納姿勢Ｓ１に姿勢変更させる必要がなくなり、その分操作性を向上させることができるとともに、固定トレー５０に固定トレー側カーソル５２を設けなくてもよい分部品コストの低減化に貢献することができる。
【０１０１】
（４）上記の実施形態においては、可動トレー６０の直下流側に固定トレー５０が設けられているが、本発明は、固定トレー５０を設けることに限定されるものではなく、状況によっては（例えば、可動トレー６０の用紙搬送方向に向かう長さを充分に長く設定した場合など）固定トレー５０の設置を省略してもよい。
【図面の簡単な説明】
【０１０２】
【図１】本発明に係る給紙装置が適用されたプリンタの一実施形態を示す斜視図であり、（イ）は、手差し給紙部の可動トレーが収納姿勢に姿勢設定された状態、（ロ）は、手差し給紙部の可動トレーが引出姿勢に姿勢設定された状態をそれぞれ示している。
【図２】プリンタの内部構造の概要を説明するための側面断面視の説明図であり、用紙カセットが収納位置に収納された状態を示している。
【図３】プリンタの内部構造の概要を説明するための側面断面視の説明図であり、用紙カセットが引出位置に引き出された状態を示している。
【図４】給紙装置の分解斜視図である。
【図５】図４に示す給紙装置の組み立て斜視図であり、手差し給紙部の可動トレーが収納姿勢に姿勢設定された状態を示している。
【図６】図４に示す給紙装置の組み立て斜視図であり、手差し給紙部の可動トレーが引出姿勢に姿勢設定された状態を示している。
【図７】一対の可動トレー側カーソルの連動構造の一実施形態を説明するための可動トレーの裏面視の斜視図である。
【図８】手差し給紙部の作用を説明するための正面断面視の説明図であり、（イ）は、可動トレーが収納姿勢に姿勢設定された状態、（ロ）は、可動トレーが引出姿勢に姿勢設定された状態をそれぞれ示している。
【符号の説明】
【０１０３】
１０  プリンタ              １１  装置本体
１１１  側板                １１１ａ  ガイド溝
１１２  天板                １１３  前面板
１１４  後面板              １１５  仕切板
１１６  給紙口              １１７  排紙トレー
１１７ａ  排紙口            １１８  ルーバー
２０  画像転写部            ２１  感光体ドラム
２２  帯電器                ２３  露光装置
２４  現像装置              ２４１  トナーカートリッジ
２５  転写ローラ            ２６  クリーニング装置
２７  定着部                ２７１  ヒートローラ
２７２  加圧ローラ          ２７３  排紙搬送路
３０  給紙装置              ３１  用紙カセット
３１１  給紙ローラ          ３１２，３１２ａ  搬送コロ
３１３  給紙搬送路（案内面）３１４  レジストローラ対
３２  円弧状前板            ３２１  凹溝
３２２  側壁                ３２３  案内溝
３３  底板                  ３３１  前後動案内凹部
３３２  左右動案内凹部      ３４  側板
３４１  被ガイド突片        ３５  前後位置規制部材
３５１  水平板              ３５２  垂直板
３６  左右位置規制部材      ３６１  水平板
３６２  垂直板              ３７  付勢板
３７１  支軸                ３７２  コイルスプリング
４０  給紙部                ５０  固定トレー
５１  トレー本体            ５１１  ガイド長孔
５２  固定トレー側カーソル  ５２１  連結フィン
５３  トレー支持部材        ５３１  トレー支持板
５３２  後方板              ５３３  前方板
６０  可動トレー            ６１  第１トレー
６１１  ガイド長孔          ６１２  案内凹溝
６２  第２トレー（案内部）  ６３  可動トレー側カーソル
６３１  第１カーソル        ６３２  第２カーソル
６３３  連結溝              ６４  補強部材
６４１  被ガイド軸          ６５  ラック部材
６５１  ラック歯            ６６  ピニオン部材
６６１  ピニオン本体        ６６２  フランジ
６６３  中心軸              Ｐ  用紙
Ｐ１  用紙束                Ｓ１  収納姿勢
Ｓ２  引出姿勢              Ｔ１  収納位置
Ｔ２  引出位置              Ｖ  装着空間
Ｖ１  収納空間
【図１】
0004563274.tif 000002
【図２】
0004563274.tif 000003
【図３】
0004563274.tif 000004
【図４】
0004563274.tif 000005
【図５】
0004563274.tif 000006
【図６】
0004563274.tif 000007
【図７】
0004563274.tif 000008
【図８】
0004563274.tif 000009